【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
無線符号分割多重アクセス（ＣＤＭＡ）システムの受信器における時間分散を補償する方法であって、
前記受信器は、実質的に同じ場所に配置された複数の送信アンテナから送信された信号を受信する、前記受信器へ結合され実質的に同じ場所に配置された複数の受信アンテナを有し、前記送信アンテナの各々から送信された前記信号は、元のデータストリームから分割されたサブストリームであり、前記方法は、
前記受信アンテナの各々でサンプルを受信するステップと、
前記送信アンテナの少なくとも１つと前記受信アンテナの少なくとも１つとの少なくとも１対に対するチャネル情報を使用してジョイント等化器の解を決定するステップと、
等化サンプルを展開するために、前記決定されたジョイント等化器の解を前記受信アンテナの少なくとも１つから受信した前記サンプルに適用するステップとからなることを特徴とする方法。
【請求項２】
請求項１に記載の方法において、前記ジョイント等化器の解はジョイント最小平均二乗誤差（ＭＭＳＥ）の解であることを特徴とする受信器。
【請求項３】
請求項１に記載の方法において、前記サンプルはＣＤＭＡチップであることを特徴とする方法。
【請求項４】
請求項１に記載の方法であって、前記送信アンテナと前記受信アンテナとの少なくとも１つの少なくとも１対に対するチャネルを推定するステップをさらに含むことを特徴とする方法。
【請求項５】
請求項１に記載の方法において、前記送信アンテナの少なくとも２つは異なるレートで異なる送信配置を用いて送信することを特徴とする方法。
【請求項６】
請求項１に記載の方法であって、前記等化サンプルのバージョンを用いてソフトビットマッピングを遂行するステップをさらに含むことを特徴とする方法。
【請求項７】
請求項６に記載の方法において、前記等化サンプルのバージョンは逆拡散サンプルであることを特徴とする方法。
【請求項８】
請求項６に記載の方法において、前記ソフトマッピングを遂行するステップは、前記等化サンプルの前記バージョンを空間白色化するステップをさらに含むことを特徴とする方法。
【請求項９】
請求項６に記載の方法において、前記ソフトマッピングを遂行するステップは、前記等化サンプルの前記バージョンに事後確率（ＡＰＰ）メトリックプロセスを遂行するステップをさらに含むことを特徴とする方法。
【請求項１０】
請求項１に記載の方法において、前記決定するステップと前記適用するステップとがシンボル期間にわたって複数回繰り返され、前記送信アンテナの各々に対して１の繰り返しであり、前記方法は、前記繰り返しの各々に対し、
到着し、そして現在処理されている送信アンテナに対する特定のシンボルを有する信号表現を生成するステップと、
前記受信アンテナの各々に対して受信された前記サンプルから前記表現を差し引くステップとをさらに含むことを特徴とする方法。
【請求項１１】
多入力多出力（ＭＩＭＯ）システムにおいて使用する受信器であって、
単一の送信器（１０１、５０１）から供給された、実質的に同じ場所に配置された複数の信号源（１０３、５０３）によって送信された信号を受信する、実質的に同じ場所に配置された複数の信号検出器（１０５、５０５）からなり、前記信号源の各々から送信された前記信号は、元のデータストリームから分割されたサブストリームであり、前記受信器はさらに、
前記信号源の少なくとも１つと前記信号検出器の少なくとも１つとの少なくとも１対に対するチャネル情報を使用してジョイント等化器の解を展開し、前記信号検出器の少なくとも１つによって受信された信号に適用される少なくとも前記等化器の解を含む信号を出力として供給するジョイント等化器（１０９、５２３）と、
前記ジョイント等化器の出力からソフト・ビットを展開するソフト・ビット・マッパ（１１２、５２７）とからなることを特徴とする受信器。
【請求項１２】
請求項１１に記載の受信器において、前記ジョイント等化器の解はジョイント最小平均二乗誤差（ＭＭＳＥ）等化器の解であることを特徴とする受信器。
【請求項１３】
請求項１２に記載の受信器において、前記ジョイント等化器がさらに、
第１の複数の高速フーリエ変換プロセッサ（８０１）からなり、前記高速フーリエ変換プロセッサの各々が、前記信号検出器の１つによって受信される信号に対応するそれぞれの入力を受信するように結合され、そしてその離散的周波数領域表現を出力として供給するものであり、さらに、
複数のチャネル推定ユニット（８０３）からなり、前記チャネル推定ユニットの各々が、前記信号検出器の１つによって受信される信号に対応するそれぞれの入力を受信するように結合され、そしてそれぞれの信号源とそれぞれの信号検出器との間の各チャネルに対するチャネル推定値を展開するものであり、さらに、
第２の複数の高速フーリエ変換プロセッサ（８０５）からなり、前記第２の複数の高速フーリエ変換プロセッサの各々は、前記信号源と前記信号検出器との間の前記チャネルの各々に対するチャネル推定値に対応するそれぞれの入力を受信するように結合され、そしてその離散的周波数領域表現を出力として供給するものであり、さらに
前記信号検出器の各々によって受信された前記信号に対するジョイント最小平均二乗誤差（ＭＭＳＥ）等化器の解の適用の離散的周波数領域表現を生成するために、前記第１の複数の高速フーリエ変換プロセッサと前記第２の複数の高速フーリエ変換プロセッサからの前記出力を入力として受信するように結合された周波数ｂｉｎ当たりＭＭＳＥ検出プロセッサ（８０７）と、
ジョイント最小平均二乗誤差（ＭＭＳＥ）等化器の解の適用の前記表現を時間領域に変換する複数の逆高速フーリエ変換プロセッサ（８０９）とからなることを特徴とする受信器。
【請求項１４】
請求項１３に記載の受信器において、Ｍを信号源の数とし、Ｎを信号検出器の数としたときに、
前記周波数当たりＭＭＳＥ検出プロセッサが、
【数１】
2003110474.tif 000001
を計算することによって周波数領域における等化を実行し、ここで、
【数２】
2003110474.tif 000002
【数３】
2003110474.tif 000003
【数４】
2003110474.tif 000004
であり、
σｎ２は、バックグラウンド・ノイズ＋干渉電力であり、
σｘ２は、前記信号源のすべてから前記信号検出器のすべてによって受信された電力の合計であり、
各ｒ（ω）は、前記第１の複数の高速フーリエ変換プロセッサの１つの前記出力であり、
各ｈ（ω）は、前記第２の複数の高速フーリエ変換プロセッサの１つの前記出力であり、
Ｉは単位行列であり、
ＸＨはＸのエルミート転置を意味しており、これは、ベクトルまたは行列Ｘの複素共益転置であることを特徴とする受信器。
【請求項１５】
請求項１２に記載の受信器において、前記ジョイント等化器はさらに、
複数のチャネル推定ユニット（９０３）からなり、前記チャネル推定ユニットの各々が、前記信号検出器の１つによって受信された信号に対応するそれぞれの入力を受信するように結合され、そしてそれぞれの信号源とそれぞれの信号検出器との間の各チャネルに対するチャネル推定値を展開するものであり、さらに、
複数の高速フーリエ変換プロセッサ（９０５）からなり、前記高速フーリエ変換プロセッサの各々が、前記信号源と前記信号検出器との間の前記チャネルの各々に対するチャネル推定値に対応するそれぞれの入力を受信するように結合され、そしてその離散的周波数領域表現を出力として供給するものであり、さらに、
前記信号検出器の各々によって受信された前記信号に対するジョイント最小平均二乗誤差（ＭＭＳＥ）等化器の解の離散的周波数領域表現を生成するために、前記複数の高速フーリエ変換プロセッサからの前記出力を入力として受信するように結合されたＭＭＳＥタップの重み計算器（９０７）と、
ジョイント最小平均二乗誤差（ＭＭＳＥ）等化器の解の前記表現を時間領域のフィルタ係数の行列に変換する複数の逆高速フーリエ変換プロセッサ（９０９）と、
時間領域のフィルタ係数の前記行列を、前記信号検出器によって受信された前記信号に適用するように結合された行列の有限インパルス応答（ＦＩＲ）（９０１）フィルタとからなることを特徴とする受信器。
【請求項１６】
請求項１５に記載の受信器において、Ｍを信号源の数とし、Ｎを信号検出器の数としたときに、
【数５】
2003110474.tif 000005
を計算することによって前記ＭＭＳＥ等化器の解が展開され、ここで、
【数６】
2003110474.tif 000006
【数７】
2003110474.tif 000007
であり、
σｎ２は、バックグラウンド・ノイズ＋干渉電力であり、
σｘ２は、前記信号源のすべてから前記信号検出器のすべてによって受信された電力の合計であり、
各ｈ（ω）は、前記複数の高速フーリエ変換プロセッサの１つの前記出力であり、
Ｉは単位行列であり、
ＸＨはＸのエルミート転置を意味しており、これは、ベクトルまたは行列Ｘの複素共益転置であることを特徴とする受信器。
【請求項１７】
請求項１６に記載の受信器において、前記行列のＦＩＲフィルタが、
【数８】
2003110474.tif 000008
を計算することによって、時間領域のフィルタ係数の前記行列を前記信号検出器によって受信された前記信号に適用し、ここで、
ｙ（ｋ）は時刻ｋにおけるベクトル出力であり、ｙは前記信号源の各々に対する１つの成分を有しており、
Ｓｊは遅延ｊに対するＭ×Ｎフィルタ行列であり、これはＳ（ω）の逆フーリエ変換であり、
ｒ（ｋ）は、時刻ｋで受信したサンプルのベクトルであり、
Ｆは、前記複数の高速フーリエ変換プロセッサの各々によって各高速フーリエ変換に対して取得されたサンプル数であることを特徴とする受信器。
【請求項１８】
請求項１１に記載の受信器において、前記ジョイント等化器は、前記信号源と前記信号検出器の各々の間のチャネルの推定値に応じて前記ジョイント等化器の解を展開することを特徴とする受信器。
【請求項１９】
請求項１２に記載の受信器において、前記ジョイント等化器が、
【数９】
2003110474.tif 000009
を計算することによって、前記ジョイント最小平均二乗誤差（ＭＭＳＥ）等化器の解を展開し、上式で、
Γ（Ｈ）はＭＩＭＯの合成演算子であり、
ＸＨはＸのエルミート転置を意味しており、これは、ベクトルまたは行列Ｘの複素共益転置であり、
Ａは遅延行列であり、
σｎ２は、バックグラウンド・ノイズ＋干渉電力であり、
σｘ２は、前記信号源のすべてから前記信号検出器のすべてによって受信された電力の合計であり、
Ｒｐｐは、ノイズ共分散であり、
前記ジョイント等化器は、
【数１０】
2003110474.tif 000010
を計算することによって、前記ジョイント最小平均二乗誤差（ＭＭＳＥ）等化器の解を適用し、ここで、
ｒ（ｋ）は時刻ｋで受信したサンプルのベクトルであることを特徴とする受信器。
【請求項２０】
請求項１１に記載の受信器において、前記ジョイント等化器の解は、ジョイント最小平均二乗法（ＬＭＳ）解、ジョイント逐次最小二乗法（ＲＬＳ）解、またはアンカーの状態によって制約されるジョイント最小シンボル間干渉（ＩＳＩ）解から構成されるグループのうちの１つであることを特徴とする受信器。